(57)【要約】    【課題】コントラストの向上及び低消費電力化を図ることが出来るプラズマディスプレイパネルの駆動方法を提供することを目的とする。    【解決手段】画素を担う各放電セルを放電させてその放電に伴う発光状態を維持させるべく各放電セルに印加されるサスティンパルスのパルス電圧を、入力映像信号における１フレーム毎の平均輝度レベルに基づいて変更する。    【選択図】  図７
2006284640.tif 000002
【特許請求の範囲】
【請求項１】
各画素に対応した複数の放電セルがマトリクス状に配列せれているプラズマディスプレイパネルを駆動するプラズマディスプレイの駆動方法であって、
入力映像信号に基づいて各放電セルを点灯モード及び消灯モードのいずれか一方の状態に設定するアドレス行程と、
前記放電セル各々にサスティンパルスを繰り返し印加することにより前記点灯モードに設定されている前記放電セルのみを繰り返しサスティン放電させるサスティン行程と、
前記入力映像信号における１フレーム毎の平均輝度レベルに基づいて前記サスティンパルスのパルス電圧を変更するパルス電圧変更行程と、を有することを特徴とするプラズマディスプレイの駆動方法。
【請求項２】
前記パルス電圧変更行程では、前記平均輝度レベルが低い場合には高い場合に比して前記サスティンパルスのパルス電圧を高い電圧に設定することを特徴とする請求項１記載のプラズマディスプレイの駆動方法。
【請求項３】
前記パルス電圧変更行程では、前記平均輝度レベルが所定の第１レベルより高い場合には前記サスティンパルスのパルス電圧を所定の第１電圧値に設定する一方、前記平均輝度レベルが前記第１レベルよりも低い場合には前記サスティンパルスのパルス電圧を前記第１電圧値よりも高い第２電圧値に設定することを特徴とする請求項１又は２に記載のプラズマディスプレイパネルの駆動方法。
【請求項４】
前記パルス電圧に基づいて単位表示期間あたりに印加する前記サスティンパルスの総パルス数を変更するサスティンパルス数変更行程を更に備えたことを特徴とする請求項１記載のプラズマディスプレイパネルの駆動方法。
【請求項５】
前記平均輝度レベルが所定の第１レベルよりも低い場合には高い場合に比して単位表示期間あたりに印加する前記サスティンパルスの総パルス数を増加させる行程を更に備え、
前記パルス電圧変更行程では、前記平均輝度レベルが前記第１レベルよりも低い場合には高い場合に比して前記パルス電圧を高くすることを特徴とする請求項１記載のプラズマディスプレイパネルの駆動方法。
【発明の詳細な説明】
【技術分野】
【０００１】
本発明は、マトリクス表示方式のプラズマディスプレイパネル（以下、ＰＤＰと称する）の駆動方法に関する。
【背景技術】
【０００２】
近年、表示画像の大型面化に伴い、薄型の表示装置が要求され、各種の薄型の表示装置が提供されている。その１つにプラズマディスプレイパネルを搭載したプラズマディスプレイ装置が知られている（例えば、特許文献１の図１参照）。
【０００３】
図１に示されるように、かかるプラズマディスプレイ装置に搭載されているプラズマディスプレイパネル、つまりＰＤＰ１０は、複数の列電極（アドレス電極）Ｄ1〜Ｄmと、これら列電極Ｄ1〜Ｄmと交叉して配列された複数の行電極Ｘ1〜Ｘn及びＹ1〜Ｙnとを備えている。これら列電極Ｄ1〜Ｄmと、行電極Ｘ1〜Ｘn及びＹ1〜Ｙnとの間には放電ガスが封入された放電空間（図示せぬ）が設けられている。かかる放電空間を含む、行電極と列電極との各交叉部に画素に対応した放電セルが形成される構造となっている。
【０００４】
駆動装置１００は、サブフィールド法に基づき、各種駆動パルスをＰＤＰ１０の行電極及び列電極に印加することにより、ＰＤＰ１０に対する階調駆動を行う。サブフィールド法では、単位表示期間（１フィールド又は１フレーム表示期間）を夫々輝度重み付けの異なるＮ個のサブフィールドに分割し、各サブフィールド毎に放電セルの各々を入力映像信号に応じて選択的に発光させることにより、中間調の輝度を表現するものである。
【０００５】
図２は、各サブフィールド内において駆動制御回路１００がＰＤＰ１０に印加する各種駆動パルスの印加タイミングを示す図である。尚、図２では、Ｎ個のサブフィールドの内から１つのサブフィールドを抜粋してその動作を示している。
【０００６】
先ず、一斉リセット行程Ｒｃにおいて、駆動装置１００は、図２に示されるが如き負極性のリセットパルスＲＰx及び正極性のリセットパルスＲＰYを行電極Ｘ1〜Ｘn及びＹ1〜Ｙn各々に同時に印加する。これらリセットパルスＲＰx及びＲＰYの印加に応じて、ＰＤＰ１０中の全ての放電セルがリセット放電されて、各放電セル内には一様に所定量の壁電荷が形成される。
【０００７】
画素データ書込行程Ｗｃでは、駆動装置１００は、入力映像信号に応じて、各放電セルを発光させるか否かを指定する為の画素データパルスＤＰを生成し、これを１表示ライン分ずつ順次列電極Ｄ1〜Ｄmに印加して行く。更に、この間、駆動装置１００は、かかる画素データパルスＤＰの各印加タイミングと同一タイミングにて走査パルスＳＰを順次、行電極Ｙ1〜Ｙnへと印加して行く。この際、走査パルスＳＰが印加された表示ラインと、高電圧の画素データパルスが印加された列電極との交叉部の放電セルにのみ放電（選択消去放電）が生じ、その放電セル内に残存していた壁電荷が消去される。一方、上記走査パルスＳＰと同時に低電圧の画素データパルスが印加された放電セルにおいては、上記選択消去放放電が生起されないので、その直前までの壁電荷形成状態を維持する。すなわち、画素データ書込行程Ｗｃでは、入力映像信号に応じて選択的に各放電セルを放電させることにより、放電セルの各々を壁電荷の形成された点灯モード状態、及び壁電荷が存在しない消灯モード状態のいずれか一方に設定するのである。
【０００８】
次に、発光維持行程Ｉｃにおいて、駆動装置１００は、図２に示す如き維持パルスＩＰX及びＩＰYを、各サブフィールドに割り当てられている輝度重み付けに対応した回数分だけ繰り返し行電極Ｘ1〜Ｘn及びＹ1〜Ｙnに印加する。すると、これら維持パルスＩＰX又はＩＰYが印加される度に、上記点灯モード状態に設定されている放電セルのみが維持放電し、その放電に伴う発光状態を維持する。
【０００９】
以上の如き駆動を各サブフィールド内において実行することにより、単位表示期間内において各発光維持行程Ｉｃにて生起された維持放電の合計回数に対応した輝度が視覚されることになる。
【００１０】
ここで、限られた許容消費電力の中で画面全体を明るく表示し、且つ暗い画像を表示する際のコントラスト比を高くすべく、ＡＰＬ（平均輝度レベル）に応じて画面全体の輝度を制御するようにしたプラズマディスプレイ装置が提案されている（例えば、特許文献２参照）。かかるプラズマディスプレイ装置においては、明るい画像を表示する際には各サブフィールドに割り当てるべき維持パルスの印加回数を減らすことにより、画面全体の輝度レベルを低下して電力消費を抑えるようにしている。一方、ＡＰＬが低い画像、すなわち、画面全体的に暗い画像を表示する際には各サブフィールドに割り当てるべき維持パルスの印加回数を増加してコントラスト比を高くするようにしている。従って、暗い画像を表示する際には、維持放電に伴う電力消費が少ないものの、発光に寄与しない無効な維持パルスが印加されることになるので、この維持パルスを発生する際に消費される電力が無駄になっていた。
【特許文献１】特開２０００−２４２２２９号公報
【特許文献２】特開２００１−４２８２０号公報
【発明の開示】
【発明が解決しようとする課題】
【００１１】
本発明は、上記の問題を解決するためになされたものであり、コントラストの向上及び無効電力の消費を抑制させることが可能なプラズマディスプレイパネルの駆動方法を提供することを目的とする。
【課題を解決するための手段】
【００１２】
請求項１記載によるプラズマディスプレイパネルの駆動方法は、各画素に対応した複数の放電セルがマトリクス状に配列せれているプラズマディスプレイパネルを駆動するプラズマディスプレイの駆動方法であって、入力映像信号に基づいて各放電セルを点灯モード及び消灯モードのいずれか一方の状態に設定するアドレス行程と、前記放電セル各々にサスティンパルスを繰り返し印加することにより前記点灯モードに設定されている前記放電セルのみを繰り返しサスティン放電させるサスティン行程と、前記入力映像信号における１フレーム毎の平均輝度レベルに基づいて前記サスティンパルスのパルス電圧を変更するパルス電圧変更行程と、を有する。
【発明を実施するための最良の形態】
【００１３】
画素を担う各放電セルを放電させてその放電に伴う発光状態を維持させるべく各放電セルに印加されるサスティンパルスのパルス電圧を、入力映像信号における１フレーム毎の平均輝度レベルに基づいて変更する。
【実施例】
【００１４】
以下、本発明の実施例を図を参照しつつ説明する。
【００１５】
図３は、本発明による駆動方法に基づいてプラズマディスプレイパネル（以下、ＰＤＰと称する）を発光駆動するプラズマディスプレイ装置の概略構成を示す図である。
【００１６】
図３において、プラズマディスプレイパネルとしてのＰＤＰ１０は、２次元表示画面の縦方向（垂直方向）に夫々伸張して配列された列電極Ｄ1〜Ｄm、横方向（水平方向）に夫々伸張して配列された行電極Ｘ1〜Ｘn及び行電極Ｙ1〜Ｙnが形成されている。尚、互いに隣接する一対の行電極Ｘ及びＹにて、ＰＤＰ１０の１表示ライン分の表示を行う。これら行電極Ｘ1〜Ｘn及びＹ1〜Ｙnと、列電極Ｄ1〜Ｄmとの間には放電ガスが封入された放電空間（図示せぬ）が設けられており、この放電空間を含む行電極と列電極との各交叉部に画素に対応した放電セルが形成される構造となっている。
【００１７】
Ａ／Ｄ変換器１は、駆動制御回路２から供給されたクロック信号に応じて、アナログの入力映像信号をサンプリングしてこれを各画素に対応した例えば８ビットの画素データＤに変換し、これをメモリ３及びＡＰＬ検出回路４各々に供給する。
【００１８】
メモリ３は、駆動制御回路２から供給された書込信号に従って上記画素データＤを順次書き込む。かかる書込動作により１画面（ｎ行、ｍ列）分の書き込みが終了すると、メモリ３は、この１画面分の画素データＤを読み出して１行分毎に順次アドレスドライバ５に供給する。
【００１９】
ＡＰＬ検出回路４は、上記画素データＤに基づき、画像１フレーム分毎の平均輝度レベルを求め、その平均輝度レベルを示す平均輝度レベル信号ＡＰＬを駆動制御回路２に供給する。
【００２０】
Ｙ電源回路８は、図４に示す如く、ｎ個の行電極Ｙ1〜Ｙn各々に対応した電圧セレクタＰＧ1〜ＰＧnからなる。各電圧セレクタＰＧは、下記の如き各種の直流電圧の内から、パルス電圧選択信号ＳＹによって示される電圧を選択し、これをパルス電圧ＶYとしてＹ電極ドライバ７に供給する。すなわち、例えば電圧セレクタＰＧ1は、パルス電圧選択信号ＳＹ1にて示される電圧を下記ＶRY，ＶS，ＶSUS1〜ＶSUS3，ＶE，ＶＧの内から選択し、これをパルス電圧ＶY1としてＹ電極ドライバ７に供給する。又、電圧セレクタＰＧ2は、パルス電圧選択信号ＳＹ2にて示される電圧を下記ＶRY，ＶS，ＶSUS1〜ＶSUS3，ＶE，ＶＧの内から選択し、これをパルス電圧ＶY2としてＹ電極ドライバ７に供給する。又、電圧セレクタＰＧnは、パルス電圧選択信号ＳＹnにて示される電圧を下記ＶRY，ＶS，ＶSUS1〜ＶSUS3，ＶE，ＶＧの内から選択し、これをパルス電圧ＶYnとしてＹ電極ドライバ７に供給する。
【００２１】
ＶRY：リセットパルス用電圧
ＶS：スキャンパルス用電圧
ＶSUS1〜ＶSUS3：サスティンパルス用電圧
ＶE：消去パルス用電圧
ＶＧ：基準電圧
Ｘ電源回路９は、図５に示す如く、単一の電圧セレクタＰＧ０からなり、下記の如き各種の直流電圧の内から、パルス電圧選択信号ＳＸによって示される電圧を選択しこれをパルス電圧ＶXとしてＸ電極ドライバ６に供給する。
【００２２】
ＶRX：リセットパルス用電圧
ＶSUS1〜ＶSUS3：サスティンパルス用電圧
ＶＧ：基準電圧
尚、サスティンパルス用電圧ＶSUS1〜ＶSUS3は、
ＶSUS1＜ＶSUS2＜ＶSUS3
なる大小関係を有する。
【００２３】
駆動制御回路２は、上記入力映像信号中の水平及び垂直同期信号に同期して、上記Ａ／Ｄ変換器１に供給すべきクロック信号、及びメモリ３に供給すべき書込及び読出信号を発生する。又、駆動制御回路２は、メモリ３から読み出された画素データに基づき、各放電セルを発光させるか否かを指定する為の画素駆動データを生成してアドレスドライバ５に供給すると共に、サブフィールド法に基づいてＰＤＰ１０を階調駆動させるべき各種タイミング信号を発生してＸ電極ドライバ６及びＹ電極ドライバ７各々に供給する。又、駆動制御回路２は、行電極Ｘ1〜Ｘnに印加される各種駆動パルス（後述する）のパルス電圧を選択させるべきパルス電圧選択信号ＳＸをＸ電圧セレクタ９に供給する。更に、駆動制御回路２は、行電極Ｙ1〜Ｙn各々に印加される各種駆動パルス（後述する）のパルス電圧を個別に選択させるべきパルス電圧選択信号ＳＹ1〜ＳＹnをＹ電圧セレクタ８1〜８nに夫々供給する。
【００２４】
アドレスドライバ５、Ｘ電極ドライバ６及びＹ電極ドライバ７は、駆動制御回路２から供給された各種タイミング信号に応じて、各サブフィールド内において図４に示す如き各種駆動パルスを発生してＰＤＰ１０の列電極Ｄ1〜Ｄm、行電極Ｘ1〜Ｘn及び行電極Ｙ1〜Ｙnに印加する。
【００２５】
図４において、リセット行程Ｒでは、駆動制御回路２は、リセットパルス用電圧ＶRXを選択させるべきパルス電圧選択信号ＳＸをＸ電源回路９に供給すると共に、リセットパルス用電圧ＶRYを選択させるべきパルス電圧選択信号ＳＹ1〜ＳＹnをＹ電源回路８に供給する。これにより、Ｘ電極ドライバ６は、図６に示す如き立ち上がり時の電圧推移が緩やかであり且つそのピーク電圧がＶRXとなる正極性のリセットパルスＲＰxを発生し、これを行電極Ｘ1〜Ｘn各々に印加する。又、Ｙ電極ドライバ７は、図６に示す如き立ち下がり時の電圧推移が緩やかであり且つそのピーク電圧がＶRYとなる負極性のリセットパルスＲＰYを発生し、これを行電極Ｙ1〜Ｙn各々に印加する。これらリセットパルスＲＰx及びＲＰYの印加に応じて、ＰＤＰ１０中の全ての放電セルがリセット放電されて、各放電セル内には一様に所定量の壁電荷が形成される。
【００２６】
アドレス行程Ｗでは、駆動制御回路２は、スキャンパルス用電圧ＶSを選択させるべきパルス電圧選択信号ＳＹ1〜ＳＹnをＹ電源回路８に供給する。これにより、Ｙ電極ドライバ７は、図６に示す如きそのパルス電圧がＶSとなる負極性のスキャンパルスＳＰを発生し、これを行電極Ｙ1〜Ｙnの各々に順次印加する。この間、アドレスドライバ５は、駆動制御回路２から供給された画素駆動データによって示される論理レベルに対応したパルス電圧を有する画素データパルスＤＰを生成し、これを１表示ライン分ずつ順次列電極Ｄ1〜Ｄmに印加して行く。この際、スキャンパルスＳＰが印加された表示ラインと、高電圧の画素データパルスが印加された列電極との交叉部の放電セルにのみ放電（選択消去放電）が生じ、その放電セル内に残存していた壁電荷が消去される。一方、上記スキャンパルスＳＰと同時に低電圧の画素データパルスが印加された放電セルにおいては、上記選択消去放放電が生起されないので、その直前までの壁電荷形成状態を維持する。すなわち、アドレス行程Ｗでは、放電セル各々を画素データに応じて選択的に放電させることにより、各放電セルを壁電荷の形成された点灯モード状態、あるいは壁電荷が存在しない消灯モード状態のいずれか一方に設定するのである。
【００２７】
次に、サスティン行程Ｉにおいて、駆動制御回路２は、上記平均輝度レベル信号ＡＰＬにて示される画像１フレーム分の平均輝度レベルが図７に示す如き所定の第１レベルＨ１よりも高い場合には、サスティンパルス用電圧としてＶSUS3を選択させるべきパルス電圧選択信号ＳＹ及びＳＸを夫々Ｙ電源回路８及びＸ電源回路９に供給する。又、かかる平均輝度レベルが図７に示す如く上記第１レベルＨ１よりも低く且つ所定の第２レベルＨ２よりも高い場合には、駆動制御回路２は、サスティンパルス用電圧としてＶSUS3よりも大なるＶSUS2を選択させるべきパルス電圧選択信号ＳＹ及びＳＸを夫々Ｙ電源回路８及びＸ電源回路９に供給する。又、この平均輝度レベルが図７に示す如く上記第２レベルＨ２よりも低い場合には、駆動制御回路２は、サスティンパルス用電圧としてＶSUS2よりも大なるＶSUS1を選択させるべきパルス電圧選択信号ＳＹ及びＳＸを夫々Ｙ電源回路８及びＸ電源回路９に供給する。これにより、Ｘ電極ドライバ６及びＹ電極ドライバ７の各々は、図６に示す如くそのパルス電圧がＶSUS1，ＶSUS2又はＶSUS3となる正極性のサスティンパルスＩＰX及びＩＰYを発生し、これらを各サブフィールド内においてそのサブフィールドに割り当てられている輝度重み付けに対応した回数分だけ繰り返し行電極Ｘ1〜Ｘn及びＹ1〜Ｙnに印加する。この際、駆動制御回路２は、単位表示期間内において印加すべきサスティンパルスＩＰX及びＩＰYの総パルス数を、平均輝度レベル信号ＡＰＬ及びサスティンパルス用電圧ＶSUSに応じて設定する。これにより、駆動制御回路２にて設定されたサスティンパルスの総パルス数に基づき、Ｘ電極ドライバ６及びＹ電極ドライバ７の各々が、各サブフィールドのサスティン行程Ｉにおいて印加すべきサスティンパルスの印加回数が決定するのである。
【００２８】
上記サスティン行程Ｉの実行により、上記点灯モード状態に設定されている放電セルのみが、サスティンパルスＩＰX及びＩＰYが印加される度にサスティン放電し、その放電に伴う発光状態を維持する。この際、単位表示期間内において生起されたサスティン放電の合計回数に対応した輝度が視覚される。
【００２９】
次に、消去行程Ｅにおいて、駆動制御回路２は、消去パルス用電圧ＶEを選択させるべきパルス電圧選択信号ＳＹ1〜ＳＹnをＹ電源回路８に供給する。これにより、Ｙ電極ドライバ７は、図６に示す如きそのパルス電圧がＶEとなる負極性の消去パルスＥＰを発生し、これを行電極Ｙ1〜Ｙnの各々に印加する。かかる消去パルスＥＰの印加に応じて、上記サスティン行程Ｉにてサスティン放電の生起された放電セルに形成されていた壁電荷が消去される。
【００３０】
以下に、図１に示されるプラズマディスプレイ装置によるサスティンパルスＩＰX及びＩＰYの印加動作を詳細に説明する。
【００３１】
先ず、入力映像信号における画像１フレーム（又は１フィールド）分の平均輝度レベルが、第１レベルＨ１（最大輝度レベルの４４％）よりも高い場合には図７（ａ）に示す如きパルス電圧ＶSUS3（１７０ボルト）を有するサスティンパルスＩＰX及びＩＰYが行電極Ｙ1〜Ｙn及びＸ1〜Ｘnに印加される。この際、単位表示期間内において印加されるサスティンパルスＩＰX及びＩＰYの総パルス数は、上記平均輝度レベルに対応した、図７（ｂ）の一点鎖線にて示されるが如き回数となる。
【００３２】
又、平均輝度レベルが第１レベルＨ１よりも低く且つ第２レベルＨ２（最大輝度レベルの２８％）よりも高い場合には図７（ａ）に示す如きパルス電圧ＶSUS2（１８５ボルト）を有するサスティンパルスＩＰX及びＩＰYが行電極Ｙ1〜Ｙn及びＸ1〜Ｘnに印加される。この際、単位表示期間内において印加されるサスティンパルスＩＰX及びＩＰYの総パルス数は、上記平均輝度レベルに対応した、図７（ｂ）の波線にて示されるが如き回数となる。
【００３３】
又、平均輝度レベルが上記第２レベルＨ２よりも低い場合には図７（ａ）に示す如きパルス電圧ＶSUS1（２０６ボルト）を有するサスティンパルスＩＰX及びＩＰYが行電極Ｙ1〜Ｙn及びＸ1〜Ｘnに印加される。この際、単位表示期間内において印加されるサスティンパルスＩＰX及びＩＰYの総パルス数は、上記平均輝度レベルに対応した、図７（ｂ）の実線にて示されるが如き回数となる。
【００３４】
以上の如く、図１に示されるプラズマディスプレイ装置においては、画像１フレーム（又は１フィールド）分の平均輝度レベルが低いほど、サスティンパルスＩＰX及びＩＰYのパルス電圧を高くするのである。この際、サスティンパルスＩＰX及びＩＰYのパルス電圧が高くなるほど、図８に示す如く、このサスティンパルスの印加によって生起されるサスティン放電に伴う発光時の輝度レベルが高くなる。
【００３５】
すなわち、画面全体的に暗い画像を表示する際にはサスティンパルスのパルス電圧を高い電圧に切り替えてサスティン放電１回あたりの発光輝度レベルを高くすることにより、暗コントラストの向上を図るようにしたのである。従って、画面全体的に暗い画像を表示する際に、各サブフィールドに割り当てるサスティンパルスの印加回数を増加する場合に比して、サスティンパルスの印加によって消費される無効な電力消費が少なくなる。
【００３６】
ところで、上述した如くサスティンパルスのパルス電圧を高い電圧に切り替えると、その切替時において急激な輝度変化が生じてしまう。
【００３７】
例えば、図８に示すように、２０６ボルトのパルス電圧ＶSUS3を有するサスティンパルスを印加した際に生起されるサスティン放電に伴う発光輝度レベルは、１８５ボルトのパルス電圧ＶSUS2を有するサスティンパルスを印加した際に生起されるサスティン放電に伴う発光輝度レベルの約２(1/2)倍となる。又、１８５ボルトのパルス電圧ＶSUS2を有するサスティンパルスを印加した際に生起されるサスティン放電に伴う発光輝度レベルは、１７０ボルトのパルス電圧ＶSUS1を有するサスティンパルスを印加した際に生起されるサスティン放電に伴う発光輝度レベルの約２(1/2)倍となる。
【００３８】
そこで、かかる輝度変化を抑制させるべく、１７０ボルトのパルス電圧ＶSUS1を有するサスティンパルスを印加する際の単位表示期間あたりの印加回数の総パルス数を基準にして、単位表示期間内において印加すべきサスティンパルスの総パルス数を調整する。尚、各サブフィールドに割り当てられている輝度重み値は変更しない。
【００３９】
図９は、単位表示期間内において１７０ボルトのパルス電圧ＶSUS1を有するサスティンパルスを印加する回数と、それに伴って視覚される輝度レベルとの対応関係を示す図である。
【００４０】
図９に示されるように、１７０ボルトのパルス電圧ＶSUS1を有するサスティンパルスを印加することにより、第１レベルＨ１の輝度レベルを表現する場合、つまり最大輝度レベルの４４％の輝度レベルを表現する場合には、単位表示期間あたり５６６回分のサスティンパルスを印加する。ここで、サスティンパルスのパルス電圧を１７０ボルト（ＶSUS1）から１８５ボルト（ＶSUS2）に切り替えると、輝度レベルは２(1/2)倍になってしまう。そこで、図７（ｂ）に示すようにサスティンパルスの総パルス数を１／２(1/2)倍、つまり［５６６回／２(1/2)］＝４００回に変更する。これにより、サスティンパルスのパルス電圧を図７（ａ）に示す如く１７０ボルト（ＶSUS1）から１８５ボルト（ＶSUS2）に切り替えた時点においても最大輝度レベルの４４％の輝度レベルを表現できるようになる。
【００４１】
又、図９に示されるように、第２レベルＨ２の輝度レベルを表現する場合、つまり最大輝度レベルの２８％の輝度レベルを表現する場合には、単位表示期間あたり８００回に亘り１７０ボルトのパルス電圧ＶSUS1を有するサスティンパルスを印加する。ここで、サスティンパルスのパルス電圧を２０６ボルト（ＶSUS3）に切り替えると、視覚される輝度レベルは１７０ボルトのサスティンパルスを印加した場合の２倍になってしまう。そこで、図７（ｂ）に示すようにサスティンパルスの総パルス数を図９に示される回数の１／２倍、つまり［８００回／２］＝４００回に変更する。これにより、サスティンパルスのパルス電圧を図７（ａ）に示す如く１８５（ＶSUS2）から２０６ボルト（ＶSUS1）に切り替えた時点においても最大輝度レベルの４４％の輝度レベルを表現できるようになる。
【００４２】
すなわち、最大輝度レベルの４４％〜最大輝度レベルなる範囲内の輝度レベルを表現する場合には、単位表示期間内において、１７０ボルトのパルス電圧ＶSUS1を有するサスティンパルスを図９に示す如き回数分だけ印加する（図７（ｂ）の一点鎖線にて示す）。又、最大輝度レベルの２８％〜４４％なる範囲内の輝度レベルを表現する場合には、単位表示期間内において、１８５ボルトのパルス電圧ＶSUS2を有するサスティンパルスを、図９にて示される回数を１／２(1/2)倍した回数分だけ印加する（図７（ｂ）の波線にて示す）。そして、最大輝度レベルの４％〜２８％なる範囲内の輝度レベルを表現する場合には、単位表示期間内において、２０６ボルトのパルス電圧ＶSUS3を有するサスティンパルスを図９にて示される回数を１／２倍した回数分だけ印加するのである（図７（ｂ）の実線にて示す）。このように、単位表示期間（１フレーム又は１フィールド表示期間）内でのサスティンパルスの印加回数の総パルス数を調整することにより、図７（ａ）に示す如くサスティンパルスのパルス電圧を切り替えた際の急激な輝度レベル変化が抑制されるのである。
【００４３】
尚、上記実施例においては、画面１フレーム分の平均輝度レベルに応じて、サスティンパルスのパルス電圧をＶSUS1〜ＶSUS3の３段階に切り替えるようにしているが、切替段数は３段に限定されるものではない。要するに、画面１フレーム分の平均輝度レベルに応じて、互いに異なるｋ個（２以上の整数）のパルス電圧の内の１つをサスティンパルスのパルス電圧として用いるようにすれば良いのである。この際、パルス電圧の切替時における輝度変化率を考慮して、図７（ｂ）に示す如く、その変化率の逆数分を、単位表示期間内において印加すべきサスティンパルスの基準総パルス数に乗算してこの総パルス数を調整することにより、急激な輝度レベル変化を抑制する。
【００４４】
又、図７（ｂ）では、図９に示す如く画面１フレーム分の平均輝度レベルが最大輝度レベルの０〜４％となる場合に単位表示期間内において印加すべきサスティンパルス（パルス電圧＝１７０ボルト）の総パルス数を２０００パルスとした場合を基準にして、その総パルス数を１０００パルスに変更するようにしている。しかしながら、単位表示期間内において印加すべきサスティンパルス（パルス電圧＝１７０ボルト）の総パルス数として２０００パルスよりも少ないパルス数を採用し、このパルス数を減らした分の輝度低下を補う分だけパルス電圧を高くするようにしても良い。更に、画面１フレーム分の平均輝度レベルが最大輝度レベルの０〜４％となる場合に単位表示期間内において印加すべきサスティンパルス（パルス電圧＝２０６ボルト）の総パルス数を１０００パルスよりも少ないパルス数にしても良い。この際、パルス数を減らした分の輝度低下を補う分だけ２０６ボルトのパルス電圧を更に高く電圧に変更する。
【図面の簡単な説明】
【００４５】
【図１】プラズマディスプレイ装置の概略構成を示す図である。
【図２】図１に示されるＰＤＰ１００に印加される各種駆動パルスの印加タイミングを示す図である。
【図３】本発明による駆動方法に従ってプラズマディスプレイパネルを駆動するプラズマディスプレイ装置の構成を示す図である。
【図４】図３に示されるＹ電源回路８の内部構成を示す図である。
【図５】図３に示されるＸ電源回路９の内部構成を示す図である。
【図６】図３に示されるＰＤＰ１０に印加される各種駆動パルスの印加タイミングを示す図である。
【図７】本発明による駆動方法に基づくサスティンパルスのパルス電圧及びパルス数の変更動作を示す図である。
【図８】サスティンパルスのパルス電圧と発光輝度レベルとの対応関係を示す図である。
【図９】単位表示期間内において印加されるサスティンパルス（パルス電圧１７０ボルト）の総パルス数と輝度レベルとの対応関係を示す図である。
【主要部分の符号の説明】
【００４６】
２    駆動制御回路
４    ＡＰＬ検出回路
６    Ｘ電極ドライバ
７    Ｙ電極ドライバ
８    Ｙ電源回路
９    Ｘ電源回路
１０  ＰＤＰ
【図１】
2006284640.tif 000003
【図２】
2006284640.tif 000004
【図３】
2006284640.tif 000005
【図４】
2006284640.tif 000006
【図５】
2006284640.tif 000007
【図６】
2006284640.tif 000008
【図７】
2006284640.tif 000009
【図８】
2006284640.tif 000010
【図９】
2006284640.tif 000011